(57)【要約】【課題】室内の床と調和する意匠性に優れ、かつ床下の空調機器のメンテナンスや修理等の作業を比較的容易に実施し得るルーバー用化粧蓋を提案する。【解決手段】溝５１上に形成された開口部５５の一部を覆う蓋主体部２と、該蓋主体部２により覆われない通風部７を覆うルーバー４１を支持するルーバー支持部３とが、溝幅方向に並設されてなり、左右両側の縁部１ａ，１ｂによって、溝５１の上部に配設された左右の受枠６１，６１に支持されるものである。かかる構成によれば、開口部５５に比して狭幅のルーバー４１を適用できることから、床面と調和する意匠性に優れるという作用効果を奏すると共に、開口部５５から取り外すことで、溝５１内に配設された空調機器Ｐのメンテナンス作業等の作業性に優れるという作用効果を奏する。【選択図】図６
2020148404.tif 000002
【特許請求の範囲】
【請求項１】
床下の溝の上部に配設された左右の受枠に支持されることにより、該溝上に形成された開口部を覆うものであって、
上方開口する箱状枠体と該箱状枠体の内部に充填された所定の充填材とにより形成され、前記開口部の一部を覆う蓋主体部と、
前記蓋主体部により覆われない通風部を覆うルーバーを支持するルーバー支持部と
を備え、前記蓋主体部とルーバー支持部とが前記溝の幅方向に並設されてなり、
左右両側の縁部によって、前記左右の受枠に支持されるものであることを特徴とするルーバー用化粧蓋。
【請求項２】
溝幅方向に蓋主体部と並設され且つ該蓋主体部と一体的に連結された、一方の受枠に支持される支持体部を備え、
ルーバー支持部で支持されたルーバーにより、前記支持体部と蓋主体部との間に形成される通風部を覆うと共に、該支持体部と蓋主体部の一側縁部とによって左右の受枠に支持されるものであることを特徴とする請求項１に記載のルーバー用化粧蓋。
【請求項３】
溝幅方向にルーバー支持部を介して並設され且つ一体的に連結された二個の蓋主体部を備え、
前記ルーバー支持部で支持されたルーバーにより、両蓋主体部の間に形成される通風部を覆うと共に、各蓋主体部の縁部によって前記左右の受枠に支持されるものであることを特徴とする請求項１に記載のルーバー用化粧蓋。
【請求項４】
ルーバー支持部は、
溝の長手方向に所定間隔をおいて通風部を横断するように配設された複数の支持梁部を備え、
該支持梁部にルーバーを乗載して支持するものであることを特徴とする請求項１乃至請求項３のいずれか１項に記載のルーバー用化粧蓋。
【発明の詳細な説明】
【技術分野】
【０００１】
本発明は、床下の溝の上に形成された開口部に、該溝の上部に配設された受枠を介して被着されるルーバー用化粧蓋に関する。
【背景技術】
【０００２】
室内を空調する空調システムとして、例えば特許文献１に示すように、床下に空調機器を配設し、該空調機器上に形成された通風口を介して、該空調機器による空調エアを室内へ送風する構成が知られている。そして、こうした通風口には、一般的にルーバーが配設される。
【０００３】
近年、オフィスビルやデパートなどの各フロアには、窓や壁に沿って、床下に溝が設けられ、該溝の内部に空調機器が配設される。そして、この溝上に形成された開口部（通風口）に、ルーバーが被着される。
具体的な構成を図１８に示す。床下に空調機器Ｐを配設する溝５１が窓Ｗに沿って設けられ、該溝５１の側壁５２，５２の上部に、断面Ｌ形の受枠１５１，１５１が夫々配設される。そして、この受枠１５１，１５１に乗載されたルーバー１５９により、溝５１の上方に開口された通風口１５５を覆っている。この構成では、溝５１が、内部に空調機器Ｐを配設できるように比較的広い幅で形成され、前記通風口１５５が該溝５１と略同じ幅で開口されている。そして、通風口１５５に被着されるルーバー１５９には、溝５１と略同じ幅のものが適用される。尚ここで、ルーバー１５９としては、例えば、細杆を格子状に組んだ構成や、長孔や円孔が複数形成された板状の構成などが用いられている。
【０００４】
また、別の構成を図１９に示す。これは、空調機器Ｐを配設する溝５１よりも幅の狭い通風口１６５を、窓Ｗ寄りに形成し、該溝５１の溝幅よりも狭幅のルーバー１６９により該通風口１６５を覆う構成である。この通風口１６５には、ルーバー１６９を乗載する受枠１６１が配設される。ここで、受枠１６１は、例えば、通風口１６５の左右両側の口縁に夫々配設される左右一対の起立壁１６２，１６２と、両起立壁１６２，１６２間に所定間隔で差し渡された複数の支持梁１６３とから構成されるものが適用され得る。こうした受枠１６１にルーバー１６９が乗載されることにより、通風口１６５に該ルーバー１６９が被着される。
【先行技術文献】
【特許文献】
【０００５】
【特許文献１】特開平１０−３０８４２号公報（段落番号０００２〜０００４、および図２参照）
【発明の概要】
【発明が解決しようとする課題】
【０００６】
こうした床に設けられる空調システムでは、室内の床と調和する意匠性に優れることが要求される。しかしながら、前述した図１８の従来構成にあっては、通風口１５５の開口幅が、空調機器Ｐを配設する広幅の溝５１と略同じであることから、比較的広い幅のルーバー１５９が適用される。そのため、ルーバー１５９が床面に比較的大きく露出し、前記意匠性の要求に十分に対応できていると言い難かった。
一方、前述した図１９の従来構成は、狭幅のルーバー１６９を適用でき、床面への露出を抑えることができるため、前記意匠性の要求に適している。ところが、かかる従来構成は、通風口１６５の開口幅が狭いことから、ルーバー１６９を取り外しても、該通風口１６５を介した空調機器Ｐのメンテナンス作業や修理作業を実施し難いという問題があった。
【０００７】
本発明は、室内の床と調和する意匠性に優れ、かつ床下の空調機器のメンテナンスや修理等の作業を比較的容易に実施し得るルーバー用化粧蓋を提案するものである。
【課題を解決するための手段】
【０００８】
本発明は、床下の溝の上部に配設された左右の受枠に支持されることにより、該溝上に形成された開口部を覆うものであって、上方開口する箱状枠体と該箱状枠体の内部に充填された所定の充填材とにより形成され、前記開口部の一部を覆う蓋主体部と、前記蓋主体部により覆われない通風部を覆うルーバーを支持するルーバー支持部とを備え、前記蓋主体部とルーバー支持部とが前記溝の幅方向に並設されてなり、左右両側の縁部によって、前記左右の受枠に支持されるものであることを特徴とするルーバー用化粧蓋である。
ここで、蓋主体部の充填材としては、少なくとも表面に、床材と同じ材料又は同程度の意匠性を有する材料を適用することが好ましい。
【０００９】
かかる構成にあっては、蓋主体部とルーバーとにより開口部を覆うようにするものであり、該開口部の幅に比して狭幅のルーバーを適用できる。これにより、ルーバーの床面への露出幅を抑え且つ蓋主体部の上面を床面に露出させることから、開口部に被着された状態で、該床面と調和する優れた意匠性を発揮できる。さらに、本発明の構成は、通風部よりも幅の広い開口部を覆うものであることから、該開口部から取り外すことによって、床下の溝の内部に配設された前記空調機器のメンテナンスや修理等の作業を行い易い。
このように本発明の構成によれば、床面と調和する意匠性に優れるという作用効果と、床下の溝の内部に対する作業性に優れるという作用効果とを両立できる。
【００１０】
前述した本発明のルーバー用化粧蓋にあって、溝幅方向に蓋主体部と並設され且つ該蓋主体部と一体的に連結された、一方の受枠に支持される支持体部を備え、ルーバー支持部で支持されたルーバーにより、前記支持体部と蓋主体部との間に形成される通風部を覆うと共に、該支持体部と蓋主体部の一側縁部とによって左右の受枠に支持されるものである構成が提案される。
ここで、この構成にあって、支持体部が、受枠に乗載される板状の乗載縁部と、該乗載縁部の一側縁に連成された立ち上がり縁部とを備え、前記立ち上がり縁部と蓋主体部との間に通風部が形成されるものである構成が好適である。
【００１１】
かかる構成にあっては、開口部の一側部にルーバー支持部を設けたものであり、例えば、ルーバーを支持する通風部を窓や壁に可及的に近接させて設けることが可能である。このように通風部が設けられることにより、該通風部に被着されるルーバーを床面上で目立ち難くでき、意匠性を一層向上できる。そして、このように意匠性を向上しつつ、前述した床下の溝の内部に対するメンテナンス作業などを行い易いという作用効果を適正に発揮できる。
また、本構成は、一体的に連結された支持体部と蓋主体部とにより開口部の受枠に支持されることから、該開口部に安定して被着することができる。
【００１２】
前述した本発明のルーバー用化粧蓋にあって、溝幅方向にルーバー支持部を介して並設され且つ一体的に連結された二個の蓋主体部を備え、前記ルーバー支持部で支持されたルーバーにより、両蓋主体部の間に形成される通風部を覆うと共に、各蓋主体部の縁部によって前記左右の受枠に支持されるものである構成が提案される。
【００１３】
かかる構成にあっては、ルーバー支持部の左右両側に蓋主体部を夫々備えたものであることから、左右方向のバランスが良く、開口部の受枠に一層安定して支持され得る。また、溝幅方向の中央又は中央寄りに通風部を形成できることから、溝の内部に配設された空調機器から送風される空調エアの送風効率に優れ、空調効率を高めることが可能である。
【００１４】
前述した本発明のルーバー用化粧蓋にあって、ルーバー支持部は、溝の長手方向に所定間隔をおいて通風部を横断するように配設された複数の支持梁部を備え、該支持梁部にルーバーを乗載して支持するものである構成が提案される。
【００１５】
ここで、前記した支持体部と蓋主体部とが一体的に連結された構成にあっては、支持梁部が該支持体部と蓋主体部とに差し渡されるように配設された構成が好適である。一方、二個の蓋主体部が一体的に連結された構成にあっては、支持梁部が左右の蓋主体部に差し渡されるように配設された構成が好適である。
【００１６】
かかる構成にあっては、ルーバーを支持梁部に乗載することで、該ルーバーをルーバー支持部に容易かつ安定して支持することができる。
【００１７】
前述した本発明のルーバー用化粧蓋にあって、ルーバー支持部は、平行に配設された左右一対の側板と該側板の長手方向に所定間隔で差し渡された複数の差渡梁とからなる梯子状の支持枠体を、通風部内で支持する枠支持手段を備え、前記枠支持手段により支持された支持枠体の差渡梁に、ルーバーを乗載して支持するものである構成が好適に用いられ得る。
【００１８】
かかる構成にあっては、ルーバーと支持枠体とを、通風部から取り外すことができる。そのため、通風部から溝の内部を確認（視認）する際に、この確認作業を行い易いという利点がある。また、ルーバーの種類を交換する際に、該ルーバーの種類に適した支持枠体に交換することができ、ルーバーに適した支持枠体を選択して使用することも可能である。
【発明の効果】
【００１９】
本発明のルーバー用化粧蓋は、上述したように、開口部に比して狭幅のルーバーを適用できることから、床面と調和する意匠性に優れるという作用効果を奏すると共に、該開口部から取り外すことで、溝の内部に配設された空調機器のメンテナンス作業や修理作業を実施し易いことから、こうした作業の作業性に優れるという作用効果を奏する。
【図面の簡単な説明】
【００２０】
【図１】実施例１にかかるルーバー用化粧蓋１の施工状態を示す断面図である。
【図２】実施例１のルーバー用化粧蓋１の施工状態を示す平面図である。
【図３】ルーバー４１を取り外した状態を示す平面図である。
【図４】（ａ）実施例１のルーバー用化粧蓋１の斜視図と、（ｂ）仕上げ材６９を省略して示す斜視図である。
【図５】ルーバー４１の斜視図である。
【図６】実施例１のルーバー用化粧蓋１の施工態様を説明する分解斜視図である。
【図７】実施例２にかかるルーバー用化粧蓋７１の施工状態を示す断面図である。
【図８】実施例２にかかるルーバー用化粧蓋７１の施工状態を示す平面図である。
【図９】（ａ）実施例２のルーバー用化粧蓋７１の斜視図と、（ｂ）仕上げ材６９を省略して示す斜視図である。
【図１０】実施例２のルーバー用化粧蓋７１の施工態様を説明する分解斜視図である。
【図１１】実施例３にかかるルーバー用化粧蓋９１の施工状態を示す断面図である。
【図１２】実施例３のルーバー用化粧蓋９１のルーバー支持部９３を拡大して示す断面図である。
【図１３】実施例３のルーバー用化粧蓋９１の斜視図である。
【図１４】実施例４にかかるルーバー用化粧蓋１１１の施工状態を示す断面図である。
【図１５】実施例４のルーバー用化粧蓋１１１のルーバー支持部１１３を拡大して示す断面図である。
【図１６】実施例４のルーバー用化粧蓋１１１の斜視図である。
【図１７】ルーバー用化粧蓋１の、他の施工態様を示す断面図である。
【図１８】従来構成のルーバー１５９の施工状態を示す断面図である。
【図１９】他の従来構成のルーバー１６９の施工状態を示す断面図である。
【発明を実施するための形態】
【００２１】
本発明にかかる実施形態を添付図面に従って以下に説明する。
【実施例１】
【００２２】
図１，６に示すように、室内の床下に、空調機器Ｐを配設する溝５１が窓Ｗに沿って設けられている。そして、溝５１の側壁５２，５２の上部に、断面Ｌ形の受枠６１，６１が対向状に配設され、該受枠６１，６１の起立縁６３，６３間に、溝５１の開口部５５が形成されている。ここで、受枠６１は、垂直な起立縁６３と該起立縁６３に連成された水平縁６２とから構成され、該起立縁６３の上端が床Ｆの上面と略同じ高さ位置となるように配設されている。このように受枠６１，６１は、開口部５５の左右両側の口縁に配設されており、床Ｆと該開口部５５とを区画している。
【００２３】
尚、受枠６１は、鉄鋼又はステンレス鋼からなる板状の金属材を素材とするものであり、その長さは、図２，３，６に示すように、溝５１の長手方向に亘る所定長さである。そして、受枠６１は、一枚の金属板を断面Ｌ形に屈曲させて形成されたものであっても良いし、二枚の金属板を溶接により断面Ｌ形となるように接合されたものであっても良い。
また、床Ｆは、床仕上げ材６９とモルタル（図示せず）などにより形成されており、該床仕上げ材６９が床面に露出するように形成されている。
【００２４】
溝５１は、内部に空調機器Ｐが配設されることから、該空調機器Ｐを収容できる溝幅により形成されており、前記開口部５５の幅も該溝幅と略同等に設定されている。このように開口部５５が形成されていることから、該開口部５５を開放状態とすることによって、空調機器Ｐのメンテナンス作業や修理作業等を行い易い。
【００２５】
実施例１のルーバー用化粧蓋１は、略矩形状を成すものであり（図４参照）、図１，６に示すように、左右両側縁部１ａ，１ｂが前記左右の受枠６１，６１に夫々乗載されることで、開口部５５に被着される。そして、複数個のルーバー用化粧蓋１が、図２，３に示すように、溝５１の開口部５５に該溝５１の長手方向に沿って隣り合わせで隙間無く被着されることにより、該開口部５５を覆う。
【００２６】
ルーバー用化粧蓋１は、図４に示すように、開口部５５の一部を覆う蓋主体部２と、ルーバー４１を支持するルーバー支持部３とが、溝５１の幅方向に並設され、さらに、窓Ｗ側の受枠６１に支持される支持体部５がルーバー支持部３を介して該蓋主体部２に並設されている。ここで、実施例１のルーバー用化粧蓋１は、蓋主体部２に比してルーバー支持部３の幅が短く、狭幅のルーバー４１を該ルーバー支持部３に支持する。これにより、溝５１の長手方向に亘って配置される複数のルーバー４１の、床Ｆへの露出面積を可及的に抑えている（図２参照）。
【００２７】
蓋主体部２は、図４（ｂ）に示すように、矩形状の底板１１と該底板１１の外周縁から夫々起立する側壁１２とから形成された箱状枠体１０を備え、該箱状枠体１０の内部に、床仕上げ材６９とモルタル（図示せず）とが充填されてなる。そして、この蓋主体部２の厚さ（高さ寸法）は、前述した受枠６１の立ち上がり縁部１５の高さ寸法と略同じとしている。これにより、ルーバー用化粧蓋１を受枠６１，６１に支持した状態で、蓋主体部２の上面が床Ｆの上面と整一になる（図１参照）。尚、蓋主体部２の前記床仕上げ材６９は、床Ｆと同じ材料であり、蓋主体部２の表面に露出するように設けられている。本実施例にあって、箱状枠体１０の内部に充填される床仕上げ材６９とモルタルとが、本発明にかかる充填材に相当する。
こうした蓋主体部２は、箱状枠体１０の側縁部（ルーバー支持部３の反対側に位置する側縁部）１ａが、窓Ｗの反対側の受枠６１に支持される。
【００２８】
支持体部５は、図４に示すように、受枠６１の水平縁６２上に載置される乗載縁部１４と該乗載縁部１４に連成された立ち上がり縁部１５とにより構成された断面Ｌ形に形成されている。そして、この支持体部５は、その乗載縁部１４を受枠６１の水平縁６２上に載置された状態で、立ち上がり縁部１５の上端が、床Ｆの上面に比してルーバー４１の厚さ分だけ低い位置となるように形成されている（図１参照）。尚、支持体部５の乗載縁部１４により、前記したルーバー用化粧蓋１の側縁部１ｂが構成されている。
【００２９】
こうした蓋主体部２と支持体部５とは、溝５１の長手方向の寸法が略同じであり、夫々の該長手方向の両端部に差し渡された断面Ｌ形の連結部１７，１７により一体的に連結されている。そして、蓋主体部２と支持体部５との間に、上下方向に開口する通風部７が形成される。ここで、通風部７は、支持体部５の立ち上がり縁部１５と、該立ち上がり縁部１５に対向配置された前記箱状枠体１０の一側壁１２とにより、床面上における開口幅が規定されている。
前記箱状枠体１０と、支持体部５と、連結部１７，１７とは、鉄鋼又はステンレス鋼からなる金属材を素材とするものである。そして、これらは、一枚の金属板を加工することにより形成されたものであっても良いし、夫々別々に金属加工した後に接合することにより形成されたものであっても良い。
【００３０】
さらに、蓋主体部２と支持体部５との間には、図６に示すように、溝５１の長手方向で所定間隔をおいて複数の支持梁部１９が、支持体部５の立ち上がり縁部１５と、該立ち上がり縁部１５に対向配置された該蓋主体部２の側壁１２とに差し渡されて設けられている。この支持梁部１９は、金属製の角棒から構成され、その両端部が、支持体部５の立ち上がり縁部１５と蓋主体部２の前記側壁１２とに溶接によって夫々接合されている。ここで、角棒からなる支持梁部１９は、その一側面が水平方向に沿うように設けられており、該面上に前記ルーバー４１を乗載して支持する。そして、支持梁部１９の上面の高さ位置と、蓋主体部２の上面との高さ寸法差が、ルーバー４１の高さと略同じとなるように、該支持梁部１９が設けられている。これにより、支持梁部１９にルーバー４１を支持した状態で、ルーバー４１の上面と蓋主体部２の上面（床Ｆの上面）とが整一となるようにしている。
こうした複数の支持梁部１９によって前記ルーバー支持部３が構成されており、該ルーバー支持部３は、支持体部５の立ち上がり縁部１５と蓋主体部２の前記側壁１２との間に設けられている。
【００３１】
一方、ルーバー４１は、図５に示すように、溝５１の長手方向に沿った長尺状の縦板４２を、該溝５１の幅方向に所定間隔で複数並設すると共に、該幅方向に沿った横板４３を、該長手方向に所定間隔で複数配設し、各横板４３によって各縦板４２を連結してなるものである。ここで、各縦板４２を、その板面の面方向を定めて配置することにより、前記空調機器Ｐから発せられた空調エアを、該面方向に向けて送風することができる。尚、本実施例にあっては、各縦板４２を、前記面方向が垂直方向に沿うように配設されている。
こうしたルーバー４１は、その幅を、支持体部５の立ち上がり縁部１５と蓋主体部２との間隔に比して、僅かに短い長さとしている。これにより、ルーバー４１を、前記支持梁部１９に乗載して、前記立ち上がり縁部１５と蓋主体部２との間に配置することができる。
さらに、ルーバー４１は、その長さが、前記ルーバー用化粧蓋１の四個分の長さに相当するように形成されている。そのため、溝５１に隣り合わせで被着する四個のルーバー用化粧蓋１に対して一個の割合でルーバー４１が配設される。すなわち、四個のルーバー用化粧蓋１により、一個のルーバー４１を支持し、一個のルーバー４１により、四個のルーバー用化粧蓋１の通風部７が覆われる。  
【００３２】
実施例１のルーバー用化粧蓋１は、図３に示すように、夫々の通風部７が溝５１の長手方向に連続するように、溝５１の長手方向に複数被着されて、該溝５１の開口部５５を覆う。ここで、ルーバー用化粧蓋１は、支持体部５の乗載縁部１４（側縁部１ｂ）を溝５１の一方の受枠６１に乗載し、且つ蓋主体部２の側縁部１ａを他方の受枠６１に乗載することにより、該溝５１の開口部５５に被着される（図１参照）。こうしてルーバー用化粧蓋１が開口部５５に被着されることで、各ルーバー用化粧蓋１の通風部７により溝５１上が開放され、各ルーバー用化粧蓋１の通風部７を除く開口部５５の残余部が夫々蓋主体部２により覆われる。そして、複数の通風部７が、溝５１の一側部で長手方向に沿って一列状に連続する。この状態で、溝５１の長手方向に連続する複数の通風部７が開放されていることから、該通風部７を介して溝５１の内部をのぞき見ることができる。
さらに、図２に示すように、開口部５５に被着されたルーバー用化粧蓋１の支持梁部１９に、ルーバー４１を乗載する。これにより、ルーバー用化粧蓋１の通風部７をルーバー４１が覆う。
【００３３】
このように複数のルーバー用化粧蓋１を、溝５１の長手方向に亘って隙間無く開口部５５に被着し、さらにルーバー４１を該ルーバー用化粧蓋１のルーバー支持部３に被着することにより、溝５１を閉鎖する。かかる構成によれば、溝５１に比して幅狭のルーバー４１を適用することができ、床Ｆでの該ルーバー４１の露出幅を狭くすることができる。そして、通風部７を除く開口部５５の残余部を、床仕上げ材６９を配設した蓋主体部２により覆うことから、床Ｆと調和する意匠性に優れたものとできる。
【００３４】
また、ルーバー用化粧蓋１を被着する開口部５５は、溝５１と略同じ幅であることから、該ルーバー用化粧蓋１を取り外すことにより、溝５１を幅方向全体に開放することができる（図１，６参照）。そのため、ルーバー４１とルーバー用化粧蓋１とを前記開口部５５から取り外すことにより、溝５１の内部に配設された空調機器Ｐのメンテナンス作業や修理作業を実施し易く、これら作業の作業性を向上できる。
尚、ルーバー用化粧蓋１を開口部５５に被着したままで、ルーバー４１のみを取り外すと、溝５１の内部をのぞき見ることができるため、空調機器Ｐの様子を視覚的に確認することもできる。
【実施例２】
【００３５】
実施例２のルーバー用化粧蓋７１は、図７に示すように、二個の蓋主体部７２，７２がルーバー支持部７３を介して、溝５１の幅方向に並設されたものであり、これら二個の蓋主体部７２，７２が連結部８７，８７により一体的に連結されている（図９参照）。実施例２にあっては、図８に示すように、二個の蓋主体部７２，７２が同じ形状寸法であり、ルーバー支持部７３が溝５１の幅方向中央部に位置する。尚、実施例２にあって、溝５１の幅とルーバー４１の幅とが、実施例１と夫々同じであることから、各蓋主体部７２の幅が、実施例１の蓋主体部２よりも短い。
【００３６】
図９に示すように、前記蓋主体部７２は、実施例１と同様に、矩形状の底板８１と該底板８１の側縁から起立した側壁８２とからなる箱状枠体８０を備え、該箱状枠体８０の内部に床仕上げ材６９とモルタル（図示せず）とが充填されてなるものである。尚、蓋主体部７２は、幅寸法が異なる以外は実施例１と同じである。
【００３７】
実施例２の構成は、前記した二個の蓋主体部７２がルーバー支持部７３を介して並設され、対向配置された各蓋主体部７２の側壁８２の間に通風部７７が形成されている。そして、これら対向する側壁８２，８２間に、複数の支持梁部１９が溝５１の長手方向に所定間隔をおいて設けられている。この支持梁部１９は、実施例１と同様に角棒により構成されており、両端が前記側壁８２，８２に夫々接合されている。そして、支持梁部１９の上面と蓋主体部７２の上面との高さ寸法差が、ルーバー４１の高さと略同じとなるように、該支持梁部１９が配設されている。
【００３８】
また、二個の蓋主体部７２は、溝５１の長手方向の両端部に夫々差し渡された連結部８７，８７により一体的に連結されている。
【００３９】
こうしたルーバー用化粧蓋７１は、図７，１０に示すように、左右両側縁部７１ａ，７１ｂを開口部５５の受枠６１，６１に夫々乗載することによって、該開口部５５に被着される。ここで、一方の受枠６１の水平縁６２には、一方の蓋主体部７２の側縁部７１ａが乗載され、他方の受枠６１の水平縁６２には、他方の蓋主体部７２の側縁部７１ｂが乗載される。
【００４０】
実施例２の構成は、ルーバー支持部７３を介して二個の蓋主体部７２を並設して、通風部７７を幅方向の中央部に配設した構成としたことが、前述の実施例１と相違する。これ以外は実施例１と同じであることから、同じ構成要素には同じ符号を付して、その説明を適宜省略した。
【００４１】
実施例２のルーバー用化粧蓋７１は、左右の蓋主体部７２，７２の側縁部７１ａ，７１ｂを、左右の受枠６１，６１に夫々乗載することにより、溝５１の開口部５５に被着される。このように複数のルーバー用化粧蓋７１を、溝５１の長手方向に沿って隙間無く配置することにより、該溝５１の開口部５５を覆うと共に、複数の通風部７７が、溝５１の幅方向中央部で長手方向に一列状に連続する。さらに、こうして配置したルーバー用化粧蓋７１の支持梁部１９にルーバー４１を乗載することにより、該ルーバー４１が通風部７７を覆う。
【００４２】
こうした実施例２の構成にあっても、前述した実施例１と同様に、溝５１に比して幅狭のルーバー４１を適用できることから、床Ｆと調和する意匠性に優れるという作用効果を奏する。さらに、ルーバー用化粧蓋７１を取り外すことにより、溝５１の内部に配設された空調機器Ｐのメンテナンス作業や修理作業を実施し易く、これら作業の作業性を向上できる。このように実施例１と同様の作用効果を奏し得る。
【００４３】
実施例２の構成は、ルーバー支持部７３の左右両側に蓋主体部７２，７２が設けられていることから、左右方向のバランスが良く、左右の受枠６１，６１に一層安定して支持され得る。さらに、溝５１の幅方向中央部に通風部７７が位置することから、該溝５１の内部に配設した空調機器Ｐから送風される空調エアを、通風部７７（ルーバー４１）を介して効率的に床Ｆ上へ送ることができる。そのため、空調効率を高めることができる。
【実施例３】
【００４４】
実施例３のルーバー用化粧蓋９１は、図１１に示すように、一方の受枠６１に支持される支持体部９５がルーバー４１の一側縁部を支持する支持突部１０４を備え、かつ蓋主体部２が該ルーバー４１の他側縁部を支持する支持突部１０８を備えたものである。そして、これら支持突部１０４，１０８により、ルーバー４１を支持する。
【００４５】
支持体部９５は、図１２に示すように、受枠６１の水平縁６２に乗載される乗載縁部１０２と、該乗載縁部１０２に連成された立ち上がり縁部１０３と、該立ち上がり縁部１０３に連成された支持突部１０４とから構成される断面コ字形をなすものである。そして、支持体部９５は、支持突部１０４の上面と蓋主体部２の上面との高さ寸法差が、ルーバー４１の厚みと略同じとなるように、高さ位置を定めている。尚、支持体部９５は、前述した実施例１と同様に、金属板を金属加工することにより成形される。
【００４６】
また、蓋主体部２は、図１２に示すように、前記支持体部９５の立ち上がり縁部１０３と対向配置された側壁１２に、前記支持突部１０８を備えた断面Ｌ形のＬ形支持部９６が溶接により接合されている。このＬ形支持部９６は、垂直な接合部１０７と前記支持突部１０８とが連成されたものであり、該支持突部１０８が前記支持体部９５の支持突部１０４と略同じ高さ位置となるように、該接合部１０７が前記側壁１２に接合されている。尚、Ｌ形支持部９６は、前述した支持体部９５と同様に、金属板を金属加工することにより成形される。
【００４７】
前記した支持体部９５の支持突部１０４とＬ形支持部９６の支持突部１０８とにより、ルーバー支持部９３が構成されている。こうしたルーバー支持部９３の支持突部１０４，１０８にルーバー４１を乗載することにより、蓋主体部２と支持体部９５との間に形成された通風部９７を覆う。
【００４８】
また、前記支持体部９５と蓋主体部２とは、前述の実施例１と同様に、溝５１の長手方向の長さ寸法が略同じであり、夫々の両端部に差し渡された連結部１７，１７により一体的に連結されている。このように連結部１７，１７で連結された支持体部９５と蓋主体部２との間に、上下方向に開口する前記通風部９７が形成される。
【００４９】
実施例３の構成は、ルーバー支持部９３が前記支持体部９５の支持突部１０４とＬ形支持部９６の支持突部１０８とにより構成されたものとしたことが、前述の実施例１と相違する。これ以外は実施例１と同じであることから、同じ構成要素には同じ符号を付して、その説明を適宜省略した。
【００５０】
実施例３のルーバー用化粧蓋９１は、前記実施例１の構成と同様に、夫々の通風部９７が溝５１の長手方向に連続するように、溝５１の長手方向に複数被着されて、該溝５１の開口部５５を覆う。ここで、ルーバー用化粧蓋９１は、支持体部９５の乗載縁部１０２を溝５１の一方の受枠６１に乗載し、且つ蓋主体部２の側縁部を他方の受枠６１に乗載することにより、該溝５１の開口部５５に被着される。すなわち、ルーバー用化粧蓋９１は、左右の側端部９１ａ（蓋主体部２の側縁部）と側端部９１ｂ（支持体部９５の乗載縁部１０２）とにより、左右の受枠６１，６１に支持される。このように複数のルーバー用化粧蓋９１を、溝５１の長手方向に沿って隙間無く配置することにより、該溝５１の開口部５５を覆うと共に、複数の通風部９７が、溝５１の一側部で長手方向に一列状に連続する。
さらに、こうして配置したルーバー用化粧蓋９１の支持突部１０４，１０８にルーバー４１を乗載することにより、該ルーバー４１が通風部９７を覆う。
【００５１】
こうした実施例３の構成にあっても、前述した実施例１と同様に、溝５１に比して幅狭のルーバー４１を適用できることから、床Ｆと調和する意匠性に優れるという作用効果を奏する。さらに、ルーバー用化粧蓋９１を取り外すことにより、溝５１の内部に配設された空調機器Ｐのメンテナンス作業や修理作業を実施し易く、これら作業の作業性を向上できる。このように実施例１と同様の作用効果を奏し得る。
【実施例４】
【００５２】
実施例４のルーバー用化粧蓋１１１は、図１４〜１６に示すように、梯子状の支持枠体１２１を介してルーバー４１を支持するようにしたものである。すなわち、実施例４の構成は、前記支持枠体１２１を支持し、該支持枠体１２１によりルーバー４１を支持する。このように支持枠体１２１は、ルーバー用化粧蓋１１１と別部材であり、該ルーバー用化粧蓋１１１に脱着可能となっている。
【００５３】
実施例４の構成は、蓋主体部１１２と支持体部１１５とが連結されてなるものであり、該蓋主体部２と支持体部１１５とが並設されている。
ここで、支持体部１１５は、細長い平板状に形成されてなり、前記受枠６１の水平縁６２に乗載されて支持される。一方、蓋主体部１１２は、箱状枠体１０の、支持体部１１５側の側壁１２の下部から、該側壁１２の長手方向に亘って所定幅で突出する枠支持部１１４を備える。この枠支持部１１４は、前記支持枠体１２１の一側縁（後述する側板１２２の下縁）を乗載可能な所定幅に形成されている。尚、この枠支持部１１４は、箱状枠体１０の底板１１が支持体部１１５側へ所定幅で延出されてなる。
【００５４】
こうした支持体部１１５と蓋主体部１１２とは、溝５１の長手方向の長さ寸法が略同じであり、夫々の両端部に差し渡された平板状の連結部１１６，１１６により一体的に連結されている。このように連結部１１６，１１６で連結された支持体部１１５と蓋主体部１１２との間に、上下方向に開口する通風部１１７が形成される。
【００５５】
また、前記した支持枠体１２１は、図１６に示すように、所定間隔をおいて並設された長尺状の側板１２２，１２２と、該側板１２２，１２２間に差し渡された複数の差渡梁１２３とを備え、該複数の差渡梁１２３が、該側板１２２の長手方向に所定間隔で配設されている。
【００５６】
こうした支持枠体１２１は、図１５に示すように、一方の側板１２２を支持体部１１５に乗載し、且つ他方の側板１２２を蓋主体部１１２の枠支持部１１４に乗載することにより、ルーバー用化粧蓋１１１に支持される。そして、支持体部１１５と枠支持部１１４とに乗載した状態で、側板１２２，１２２の上端が蓋主体部１１２の上面とほぼ同じ高さ位置となるように、該側板１２２，１２２の上下方向幅（高さ）が設定されている。また、差渡梁１２３は、その上面と側板１２２の上端との高さ寸法差が、ルーバー４１の高さ寸法と略同じとなる位置に設けられている。これにより、ルーバー用化粧蓋１１１が支持枠体１２１を介してルーバー４１を支持した状態で、支持枠体１２１の側板１２２，１２２の上端とルーバー４１の上面とが、床Ｆの上面と略整一となる。
さらに、支持枠体１２１は、ルーバー用化粧蓋１１１の複数個分（例えば、二個分や三個分など）の長さに設定されており、複数のルーバー用化粧蓋１１１に対して、一個の支持枠体１２１が用いられる。
【００５７】
ここで、支持枠体１２１は、側板１２２が金属板から構成されると共に、差渡梁１２３が金属製の角棒から構成されており、各差渡梁１２３の両端が左右の側板１２２，１２２に溶接によって接合されて、梯子状に形成されている。
【００５８】
実施例４の構成にあって、前記支持枠体１２１を支持する支持体部１１５と蓋主体部１１２の枠支持部１１４とにより、ルーバー支持部１１３が構成されている。
【００５９】
実施例４の構成は、支持体部１１５が平板状であること、蓋主体部１１２が枠支持部１１４を備えること、および該支持体部１１５と枠支持部１１４とにより支持した支持枠体１２１を介してルーバー４１を支持するようにしたことが、前述の実施例１と相違する。これ以外は実施例１と同じであることから、同じ構成要素には同じ符号を付し、その説明を適宜省略した。
【００６０】
実施例４のルーバー用化粧蓋１１１は、前記実施例１の構成と同様に、夫々の通風部１１７が溝５１の長手方向に連続するように、溝５１の長手方向に複数被着されて、該溝５１の開口部５５を覆う。ここで、ルーバー用化粧蓋１１１は、支持体部１１５を溝５１の一方の受枠６１に乗載し、且つ蓋主体部２の側縁部を他方の受枠６１に乗載することにより、該溝５１の開口部５５に被着される。すなわち、ルーバー用化粧蓋１１１は、左右の側縁部１１１ｂ（支持体部１１５）と側縁部１１１ａ（蓋主体部２の側縁部）とにより、左右の受枠６１，６１に支持される。このように複数のルーバー用化粧蓋１１１を、溝５１の長手方向に沿って隙間無く配置することにより、該溝５１の開口部５５を覆うと共に、複数の通風部１１７が、溝５１の一側部で長手方向に一列状に連続する。
さらに、こうして配置したルーバー用化粧蓋１１１の支持体部１１５と蓋主体部２の枠支持部１１４とに、支持枠体１２１の側板１２２，１２２を夫々乗載して支持する。そして、支持枠体１２１の差渡梁１２３にルーバー４１を乗載することにより、該ルーバー４１が通風部１１７を覆う。
【００６１】
こうした実施例４の構成にあっても、前述した実施例１と同様に、溝５１に比して幅狭のルーバー４１を適用できることから、床Ｆと調和する意匠性に優れるという作用効果を奏する。さらに、ルーバー用化粧蓋１１１を取り外すことにより、溝５１の内部に配設された空調機器Ｐのメンテナンス作業や修理作業を実施し易く、これら作業の作業性を向上できる。このように実施例１と同様の作用効果を奏し得る。
さらに、実施例４の構成は、支持枠体１２１を介してルーバー４１を支持するものであり、該支持枠体１２１を別部材により構成している。そのため、ルーバーの形態に応じた支持枠体を適用することにより、様々な形態のルーバーを配設することが可能である。
【００６２】
本発明は、前述した実施例１〜４に限定されるものではなく、前述の実施例以外であっても本発明の趣旨の範囲内で適宜変更した構成を実施可能である。以下に、本発明にかかる別例について説明する。
【００６３】
実施例１は、蓋主体部２とルーバー支持体部３とを連結部１７，１７により一体的に連結した構成であるが、この他の構成として、該連結部１７，１７を設けずに、複数の支持梁部１９によって蓋主体部２とルーバー支持体部３とを一体的に連結した構成とすることもできる。同様に、実施例２にあっても、連結部８７，８７を設けずに、二個の蓋主体部７２，７２を複数の支持梁部１９によって一体的に連結した構成としても良い。
【００６４】
実施例２は、溝５１の幅方向中央部に、複数の支持梁部１９を所定間隔で配設したルーバー支持部を設けた構成であるが、これに限らず、実施例３，４と同様のルーバー支持部を設けた構成とすることも可能である。例えば、左右の蓋主体部の、対向配置された夫々の側壁に、実施例３と同様のＬ形支持部が接合された構成とし、左右のＬ形支持部の支持突部にルーバーを支持する。又は、左右の蓋主体部に、対向配置された各側壁から所定幅で突出した枠支持部を夫々設けた構成とし、各枠支持部に支持した支持枠体を介してルーバーを支持する。
【００６５】
また、実施例２は、左右幅の同じ蓋主体部を並設して、幅方向の中央部に通風部を形成した構成であるが、これに限らず、左右幅の異なる蓋主体部を並設して、通風部を左右一方寄りに形成した構成とすることもできる。
【００６６】
また、実施例３は、左右の支持突部が支持体部と蓋主体部との長手方向に亘って設けられた構成であるが、これに限らず、該長手方向で所定間隔をおいて複数の支持突部が左右両側に配設された構成とすることもできる。
さらに、実施例３では、支持突部を備えたＬ形支持部を蓋主体部の側壁に接合した構成であるが、この他の構成として、平板状の支持突部を該側壁に接合した構成とすることも可能である。
【００６７】
また、実施例４は、平板状の支持体部を一方の受枠に乗載する構成であるが、これに限らず、実施例１と同様の断面Ｌ形の支持体部を適用することも可能である。
【００６８】
また、実施例１〜４は、溝の長手方向に沿って設けられた開口部に、複数のルーバー用化粧蓋を隣合わせに被着する使用態様について例示したが、これに限らず、例えば、一個のルーバー用化粧蓋により開口部を覆う使用態様にも適用できる。具体的には、図１７に示すように、床Ｆに、溝５１よりも狭幅の通風口部５８が該溝５１の長手方向に沿って形成されると共に、該溝５１の長手方向の一部に、該溝５１と同じ幅の開口部５９が形成されており、該開口部５９を一個のルーバー用化粧蓋１により覆い、通風口部５８と該ルーバー用化粧蓋１の通風部７とにルーバー４１を被着することで覆う。詳述すると、開口部５９には、その左右両側の口縁に、実施例１と同様の断面Ｌ形の受枠６１，６１が配設されている一方、通風口部５８の、該開口部５９の前後両側には、該通風口部５８の左右両側の口縁に、受枠６５，６５が夫々配設されている。この受枠６５は、水平縁６６と起立縁６７とからなる断面Ｌ形をなすものであって、該起立縁６７の高さが前記受枠６１の起立縁６３よりも低く、水平縁６６が前記受枠６１の水平縁６２よりも高い位置に配置される。さらに、開口部５９の前後両側には、受枠６１と前後の受枠６５，６５との境界に仕切板６８，６８が夫々設けられている。こうした開口部５９の左右両側の受枠６１，６１に、ルーバー用化粧蓋１の両側縁部１ａ，１ｂを乗載することによって、該ルーバー用化粧蓋１を該開口部５９に被着する。ここで、ルーバー用化粧蓋１は、通風部７が通風口部５８と一直線状に列なるように配置される。さらに、ルーバー用化粧蓋１のルーバー支持部３と受枠６５，６５とにルーバー４１を乗載することによって、該ルーバー用化粧蓋１の通風部７と通風口部５８とをルーバー４１により覆う。こうした別例の使用態様にあっても、溝５１よりも幅狭のルーバー４１を適用できるため、前述の実施例１〜４と同様に、床Ｆと調和する意匠性に優れるという作用効果を奏すると共に、ルーバー用化粧蓋１を取り外すことにより、溝５１と同じ幅の開口部５９を開口できるため、メンテナンス作業や修理作業等の作業性を向上できる。
【００６９】
また、実施例１，２にあっては、角棒からなる支持梁部１９が、その一側面を水平方向に沿うように設けられた構成としたが、これに限らず、該支持梁部１９が、実施例１，２に対して４５度回転させた状態（対向する二つの角縁が上下に配置される状態）で設けられた構成とすることも可能である。また、支持梁部は、角パイプで構成されたものであっても良いし、断面Ｉ形、断面Ｔ形、断面Ｈなどの角材により構成されていても良い。
【符号の説明】
【００７０】
１，７１，９１，１１１  ルーバー用化粧蓋  
２，７２，１１２  蓋主体部  
３，７３，９３，１１３  ルーバー支持部  
５，９５，１１５  支持体部
７，７７，９７，１１７  通風部
１０，８０  箱状枠体
１４  乗載縁部
１５  立ち上がり縁部
１９  支持梁部
４１  ルーバー
５１  溝
５５  開口部
６１  受枠
【図１】
2020148404.tif 000003
【図２】
2020148404.tif 000004
【図３】
2020148404.tif 000005
【図４】
2020148404.tif 000006
【図５】
2020148404.tif 000007
【図６】
2020148404.tif 000008
【図７】
2020148404.tif 000009
【図８】
2020148404.tif 000010
【図９】
2020148404.tif 000011
【図１０】
2020148404.tif 000012
【図１１】
2020148404.tif 000013
【図１２】
2020148404.tif 000014
【図１３】
2020148404.tif 000015
【図１４】
2020148404.tif 000016
【図１５】
2020148404.tif 000017
【図１６】
2020148404.tif 000018
【図１７】
2020148404.tif 000019
【図１８】
2020148404.tif 000020
【図１９】
2020148404.tif 000021